(57)【要約】【課題】施錠装置が設けられた側に遊技領域を拡大可能な施錠装置を提供する。【解決手段】施錠装置４は、ガラス扉側の受け金具と係脱可能なフック部材を有するフック機構６０と、錠前機構７０とワイヤー４４とから構成される。フック機構６０はフック部材が受け金具と噛み合い係合する施錠位置と、フック部材が上方に搖動して係合を解除する解錠位置とに変位可能に設けられ、常には施錠位置に付勢保持されるフック部材を備え、錠前機構７０は鍵穴７２に鍵を差し込んで解錠操作を行ったとき似回動されるカム盤を有して構成される。ワイヤー４４はフック部材とカム盤との間を結んで遊技領域１１の側方を通って張り渡され、解錠操作されたときにワイヤー４４に作用する引っ張り力がフック部材に伝達されてフック部材が解錠位置に変位するように構成される。【選択図】図１
2010110519.tif 000002
【特許請求の範囲】
【請求項１】
外枠と、互いの一側縁に設けられたヒンジ機構を介して前記外枠に搖動開閉可能に連結され前面に遊技領域が形成された遊技盤を収容保持する前枠とを備えた遊技機において、互いの他側縁に設けられ前記前枠を前記外枠に閉止した状態に施錠する遊技機用の施錠装置であって、
前記外枠側に取り付けられた受け金具と係脱可能なフック部を有し前記フック部が前記受け金具と噛み合い係合する施錠位置と前記フック部が前記受け金具から離間して係合を解除する解錠位置とに変位可能に設けられたフック部材、および前記フック部材を前記施錠位置に付勢するフック付勢手段を有して前記前枠側に取り付けられるフック機構と、
鍵を用いた解錠操作に基づいて回動される回動部材を有し前記前枠側に取り付けられる錠前機構と、
前記遊技領域の側方を通って前記フック部材と前記回動部材との間に張り渡されるワイヤーとからなり、
前記解錠操作に基づいて前記回動部材が解錠方向に回動されたときに、前記ワイヤーが引っ張られて引っ張り力が前記フック部材に伝達され、前記フック部材が前記解錠位置に変位するように構成したことを特徴とする遊技機用の施錠装置。
【請求項２】
前面に遊技領域が形成された遊技盤を収容保持する前枠と、互いの一側縁に設けられたヒンジ機構を介して前記前枠に搖動開閉可能に連結され前記遊技盤の前面を覆って閉止されるガラス扉とを備えた遊技機において、互いの他側縁に設けられ前記ガラス扉を前記前枠に閉止した状態に施錠する遊技機用の施錠装置であって、
前記ガラス扉側に取り付けられた受け金具と係脱可能なフック部を有し前記フック部が前記受け金具と噛み合い係合する施錠位置と前記フック部が前記受け金具から離間して係合を解除する解錠位置とに変位可能に設けられたフック部材、および前記フック部材を前記施錠位置に付勢するフック付勢手段を有して前記前枠側に取り付けられるフック機構と、
鍵を用いた解錠操作に基づいて回動される回動部材を有し前記前枠側に取り付けられる錠前機構と、
前記遊技領域の側方を通って前記フック部材と前記回動部材との間に張り渡されるワイヤーとからなり、
前記解錠操作に基づいて前記回動部材が解錠方向に回動されたときに、前記ワイヤーが引っ張られて引っ張り力が前記フック部材に伝達され、前記フック部材が前記解錠位置に変位するように構成したことを特徴とする遊技機用の施錠装置。
【請求項３】
前記ワイヤーをガイドするワイヤーガイド構造を備え、
前記ワイヤーガード構造は、前記遊技領域の側方領域において前記ワイヤーが前記回動部材の回動軸よりも前記他側縁側を通るように前記ワイヤーをガイドするように構成したことを特徴とする請求項１または２に記載の遊技機用の施錠装置。
【請求項４】
第１のベース金具に前記フック機構が設けられて前記前枠に取り付けられる第１ユニットと、
第２のベース金具に前記錠前機構が設けられて前記前枠に取り付けられる第２ユニットとからなることを特徴とする請求項１〜３のいずれか一項に記載の遊技機用の施錠装置。
【請求項５】
前記フック機構は、前記第１ユニットに設けられて前記前枠の上部に設けられる上部フック機構と、前記第２ユニットに設けられて前記前枠の下部に設けられる下部フック機構とからなり、
前記第２のベース金具に前記錠前機構と前記下部フック機構とが設けられることを特徴とする請求項４に記載の遊技機用の施錠装置。
【発明の詳細な説明】
【技術分野】
【０００１】
本発明は、前面に遊技領域が形成された遊技盤を収容保持する前枠を備えた遊技機用の施錠装置に関する。
【背景技術】
【０００２】
上記のような前枠を備えた遊技機の代表例として、パチンコ機やアレンジボール機などの遊技機がある。パチンコ機では、「遊技島」と称される遊技施設の設置枠台に固定される外枠に、遊技盤を収容保持する前枠が互いの左側部に設けられた前枠ヒンジ機構を利用して前方に横開き開閉可能に連結支持され、前枠の前面上部に遊技盤を透視させるガラス扉が互いの左側部に設けられたガラス枠ヒンジ機構を利用して前枠前方に横開き開閉可能に支持される。前枠と外枠、前枠とガラス扉は、いずれも右側部に設けられたダブル錠と称される施錠装置を用いて相互に係合連結され、ガラス扉が遊技盤の前面を覆って遊技領域を透視させる全閉状態に施錠された状態で遊技に供される。
【０００３】
ここで、施錠装置は、例えば前枠を外枠に閉止施錠する前枠施錠装置の部分についてみると、外枠側の受け金具と係脱可能なフック部材を有しフック付勢手段により常時施錠位置に付勢配設されるフック機構、鍵を用いた解錠操作に基づいて回動されるカム盤を備えた錠前機構、及びフック部材とカム盤とを連結して上下移動可能に設けられた昇降杆などからなり、これらの部材が断面視コの字状ないしクランク状に曲折されて上下に延びるベースフレームに一体的に組み付けられて構成される。錠前機構の鍵穴に鍵を差し入れて解錠操作を行うと、カム盤の回動が昇降杆を介してフック部材に伝達され、施錠位置のフック部材が解錠位置に変位して解錠されるようになっている。ガラス扉を前枠に閉止施錠するガラス扉施錠装置の部分についても同様であり、錠前機構の鍵穴に挿入した鍵を時計回りまたは反時計回りの一方に回動させたときに前枠と外枠とを係合連結していたフック部材が外枠側の受け金具から離隔して前枠が解錠され、他方に回動させるとガラス扉と前枠とを係合連結していたフック部材がガラス扉側の受け金具から離隔してガラス扉が解錠されるように構成されている（例えば、特許文献１を参照）。
【特許文献１】特開平２００６−１８１００３号公報
【発明の開示】
【発明が解決しようとする課題】
【０００４】
ところが、上記のような従来の施錠装置では、フック機構、錠前機構、及び昇降杆などが一本のベースフレームに組み付けられてフック施錠ユニットが形成され、このフック施錠ユニットが前枠の側縁、例えば、右側縁に取り付けられており、遊技盤の右側方を通って上下に延びるベースフレーム及び昇降杆が配設されていた。そのため、遊技球が転動落下可能な遊技領域を拡大しようとしても、施錠装置が設けられた側部方向に拡大することは実現困難であると考えられていた。
【０００５】
本発明は、このような課題に鑑みてなされたものであり、施錠装置が設けられた側部方向に遊技領域を拡大可能な遊技機用の施錠装置を提供することを目的とする。
【課題を解決するための手段】
【０００６】
上記目的達成のため、第１の本発明は、外枠と、互いの一側縁に設けられたヒンジ機構を介して外枠に搖動開閉可能に連結され前面に遊技領域が形成された遊技盤を収容保持する前枠とを備えた遊技機において、互いの他側縁に設けられ前枠を外枠に閉止した状態に施錠する遊技機用の施錠装置に関するものである。そのうえで、この遊技機用の施錠装置（例えば、実施形態における前枠施錠装置４１）は、外枠側に取り付けられた受け金具と係脱可能なフック部材を有して前枠側に取り付けられるフック機構、錠前機構およびワイヤーとから構成される。フック機構は、受け金具と係脱可能なフック部を有してフック部が受け金具と噛み合い係合する施錠位置とフック部が受け金具から離間して係合を解除する解錠位置とに変位可能に設けられたフック部材、およびフック部材を施錠位置に付勢するフック付勢手段（例えば、実施形態における捩りバネ５６）を有して構成され、錠前機構は、鍵を用いた解錠操作に基づいて回動される回動部材（例えば、実施形態における第１カム盤７５、第２カム盤７６、カム盤１７５）を有して構成される。ワイヤーは、遊技領域の側方を通ってフック部材と回動部材との間に張り渡されており、解錠操作に基づいて回動部材が解錠方向に回動されたときに、ワイヤーが引っ張られて引っ張り力がフック部材に伝達され、フック部材が解錠位置に変位するように構成される。
【０００７】
上記目的達成のため、第２の本発明は、前面に遊技領域が形成された遊技盤を収容保持する前枠と、互いの一側縁に設けられたヒンジ機構を介して前枠に搖動開閉可能に連結され遊技盤の前面を覆って閉止されるガラス扉とを備えた遊技機において、互いの他側縁に設けられガラス扉を前枠に閉止した状態に施錠する遊技機用の施錠装置に関するものである。そのうえで、この遊技機用の施錠装置（例えば、実施形態におけるガラス扉施錠装置４２）は、ガラス扉側に取り付けられた受け金具と係脱可能なフック部材を有して前枠側に取り付けられるフック機構、錠前機構およびワイヤーとから構成される。フック機構は、受け金具と係脱可能なフック部を有してフック部が受け金具と噛み合い係合する施錠位置とフック部が受け金具から離間して係合を解除する解錠位置とに変位可能に設けられたフック部材、およびフック部材を施錠位置に付勢するフック付勢手段（例えば、実施形態における捩りバネ６６）を有して構成され、錠前機構は、鍵を用いた解錠操作に基づいて回動される回動部材（例えば、実施形態における第１カム盤７５、第２カム盤７６、カム盤１７５）を有して構成される。ワイヤーは、遊技領域の側方を通ってフック部材と回動部材との間に張り渡され、解錠操作に基づいて回動部材が解錠方向に回動されたときに、ワイヤーが引っ張られて引っ張り力がフック部材に伝達され、フック部材が解錠位置に変位するように構成される。
【０００８】
なお、これらの発明において、ワイヤーをガイドするワイヤーガイド構造を備え、このワイヤーガード構造は、遊技領域の側方領域においてワイヤーが回動部材の回動軸よりも前記他側縁側（反ヒンジ側）を通るようにワイヤーをガイドすることが好ましい。
【０００９】
また、第１のベース金具（例えば、実施形態における上部ベースフレーム４５）に前記フック機構が設けられて前枠に取り付けられる第１ユニット（例えば、実施形態における上部ユニット４０Ｕ）と、第２のベース金具（例えば、実施形態における下部ベースフレーム４６）に前記錠前機構が設けられて前枠に取り付けられる第２ユニット（例えば、実施形態における下部ユニット４０Ｌ）とから構成されることが好ましい。この場合において、前記フック機構は、前記第１ユニットに設けられて前枠の上部に設けられる上部フック機構と、前記第２ユニットに設けられて前枠の下部に設けられる下部フック機構とからなり、第２のベース金具に錠前機構と下部フック機構とが設けられることが好ましい。
【発明の効果】
【００１０】
第１の本発明によれば、遊技機用の施錠装置が、外枠側に取り付けられた受け金具と係脱可能なフック部材を有して前枠側に取り付けられるフック機構、鍵による解錠操作に基づいて回動される回動部材を備えた錠前機構、およびフック部材と回動部材との間を結ぶワイヤーとからなり、ワイヤーが遊技領域の側方を通って張り渡されて構成される。このため、施錠装置が設けられた前枠の側縁、例えば前述した右側縁について、遊技盤の側方にワイヤーが通過可能な幅があれば足り、他を遊技領域として利用することが可能となる。従って、施錠装置が設けられた側部方向に遊技領域を拡大することができる。
【００１１】
第２の本発明によれば、遊技機用の施錠装置が、ガラス扉側に取り付けられた受け金具と係脱可能なフック部材を有して前枠側に取り付けられるフック機構、鍵による解錠操作に基づいて回動される回動部材を備えた錠前機構、およびフック部材と回動部材との間を結ぶワイヤーとからなり、ワイヤーが遊技領域の側方を通って張り渡されて構成される。このため、上述した第１の本発明と同様に、施錠装置が設けられた前枠の側縁について、遊技盤の側方にワイヤーが通過可能な幅があればよく、他を遊技領域として利用することができる。従って、施錠装置が設けられた側部方向に遊技領域を拡大することができる。
【００１２】
なお、第１、第２の本発明において、ワイヤーをガイドするワイヤーガイド構造を設け、遊技領域の側方領域においてワイヤーが回動部材の回動軸よりも反ヒンジ側を通るようにワイヤーをガイドする構成によれば、ワイヤーを積極的に遊技領域の外方に案内することにより、遊技領域をさらに拡大することができる。
【００１３】
また、第１のベース金具にフック機構が設けられた第１ユニットと、第２のベース金具に前記錠前機構が設けられた第２ユニットとからなるような構成によれば、これら二つのユニットを前枠に取り付ける比較的簡明な組み立て作業で、遊技領域を拡大可能な施錠装置を提供することができる。また、フック機構が、第１ユニットに設けられて前枠の上部に設けられる上部フック機構と、第２ユニットに設けられて前枠の下部に設けられる下部フック機構とからなり、第２のベース金具に錠前機構と下部フック機構とが設けられるような構成によれば、機能が集約された二つのユニットを前枠に取り付ける簡明な組み立て作業で、前枠またはガラス扉の浮き上がりを防止しつつ、遊技領域を拡大可能な施錠装置を提供することができる。
【発明を実施するための最良の形態】
【００１４】
以下、本発明の好ましい実施形態について図面を参照して説明する。本発明に係る施錠装置を適用した遊技機の一例として、図２〜図４の各図に、それぞれパチンコ機ＰＭの正面図、右側面図、及び背面図を示しており、まずこれらの各図を参照してパチンコ機ＰＭの全体構成について概要説明する。
【００１５】
パチンコ機ＰＭは、上下左右の枠板を有し外郭方形の枠サイズに構成されて縦向きの固定保持枠をなす外枠１の前面側に、外枠１の開口面域に合わせて構成された開閉搭載用の前枠２が互いの正面左側上下に設けられたヒンジ機構３ａ，３ｂにより連結支持されて前方に横開き開閉及び着脱が可能に取り付けられ、正面右側に設けられた施錠装置４を利用して外枠１と係合された閉鎖状態に保持される。
【００１６】
前枠２の前面側上部には、前枠２の前面域に合わせた方形状で中央部に複層ガラスが装着されたガラス扉５が正面左側に設けられたヒンジ機構７ａ，７ｂにより前方に横開き開閉および着脱が可能に支持され、正面右側に設けられた施錠装置４により前枠２の前面を覆う閉鎖状態に保持される。ガラス扉５の背後には遊技盤１０を立設姿勢で収容する収容枠が前枠２と一体に成型されており、この収容枠に遊技盤１０が着脱可能に収容保持され、常には閉鎖保持されるガラス扉５の複層ガラスを通して前面の遊技領域を視認可能に臨ませている。
【００１７】
図２では遊技盤１０について詳細構成の記載を省略しているが、遊技盤１０の前面には上下のレール飾りに囲まれて略円形の遊技領域１１が区画形成され（図１を参照）、この遊技領域１１に多数本の遊技釘とともに風車や各種入賞具、遊技の進行状況に応じて所定の画像を表示する画像表示装置などの遊技構成部品が取り付けられている。遊技領域の下端部には、入賞具に落入することなく落下した遊技球を遊技盤１０の裏面側に排出するためのアウト口が遊技盤を前後に貫通して設けられている。
【００１８】
前枠２の下部領域には、球皿ユニット６が正面左側に設けられたヒンジ機構７ｂ，７ｃにより前方に横開き開閉および着脱が可能に支持される。球皿ユニット６は、ガラス扉５の背後に位置して前枠２の正面右側に設けられた球皿施錠装置（不図示）により閉鎖保持されており、ガラス扉５を開放した状態においてのみ開閉操作可能になっている。球皿ユニット６に覆われた前枠２の下部領域には、遊技補助盤と称される補助機構部が形成されており、この遊技補助盤に、遊技球を発射する遊技球発射装置や、遊技領域に到達することなく戻ってきたファール球を回収するファール球回収通路などが設けられている。前枠２の前面下部には、遊技球の発射操作を行う発射ハンドル８が取り付けられている。
【００１９】
一方、前枠２の裏側には、裏セット盤２０が着脱可能に取り付けられている。裏セット盤２０は、中央に遊技盤１０側の画像制御基板等を前後挿通させる窓口２１ｗ（図１を参照）を有して外枠１の内寸よりも幾分小型に形成された基枠体２１をベースとして構成される。基枠体２１の各部には、遊技球を貯留する球貯留タンク２２、球貯留タンクの下側に緩い傾斜姿勢で取り付けられたタンクレール２３、タンクレール２３により前後各１列の整列状態で導かれた遊技球を遊技盤１０における入賞状態に基づいて払い出す球払出装置２４、球払出装置２４から払い出された遊技球を球皿ユニット６の球皿に導く払出通路などからなる賞球機構が設けられる。また裏セット盤の裏面各部には、パチンコ機各部に電力を供給する電源基板３１や球払出装置２４の作動を制御する払出制御基板３２、パチンコ機の作動を統括的に制御する主制御基板３３、遊技施設のホールコンピュータとの間で球払い出し情報やアラーム情報などの入出力を行うターミナル基板３７などの各種制御基板が取り付けられ、これらの回路基板とパチンコ機各部の電気・電子部品がコネクタケーブルで接続されて遊技可能に構成される。
【００２０】
このように概要構成されるパチンコ機にあって、施錠装置４は、一般的にダブル錠と称される施錠装置であり、パチンコ機ＰＭの前面側に露出する鍵穴に合致する鍵を差し込んで、一方向、例えば、本実施形態に示す施錠装置４では、鍵を時計廻りに回動させると、前枠２と外枠１の係合連結が解除されて前枠２を前方に開放可能になり、鍵を反対方向の反時計廻りに回動させると、ガラス枠５と前枠２との係合連結が解除されてガラス枠５が前枠２の前方に開放されるようになっている。
【００２１】
この施錠装置４のパチンコ機ＰＭにおける配設位置状態を示す正面図を図１に示し、施錠装置単体での正面図を図５に、施錠装置４を左側方から見た（図５中のVI矢視方向の）側面図を図６に示す。なお、図１では、ガラス扉５及び遊技盤１０を取り外した状態で施錠装置４の配設位置状態を示している。
【００２２】
上述したように、施錠装置４は、機能的には、外枠１に対して前枠２を施錠状態に閉鎖保持する前枠施錠装置４１と、前枠２に対してガラス扉５を施錠状態に閉鎖保持するガラス扉施錠装置４２との二つの施錠装置の機能を備えて構成される。このうち、前枠施錠装置４１は、フック機構５０（５０Ｕ，５０Ｌ）、錠前機構７０、及びワイヤー４３（４３Ｕ，４３Ｌ）などから構成され、ガラス扉施錠装置４２は、フック機構６０（６０Ｕ，６０Ｌ）、錠前機構７０、及びワイヤー４４（４４Ｕ，４４Ｌ）などから構成される。
【００２３】
一方、施錠装置４は、形態的には、上部ベースフレーム４５に前枠施錠装置４１の上部フック機構５０Ｕ及びガラス扉施錠装置４２の上部フック機構６０Ｕが設けられた上部ユニット４０Ｕと、下部ベースフレーム４６に前枠施錠装置４１の下部フック機構５０Ｌ、ガラス扉施錠装置４２の下部フック機構６０Ｌ、及び錠前機構７０が設けられた下部ユニット４０Ｌとの二つのユニットを主体とし、これら上下のユニット４０Ｕ，４０Ｌがワイヤー４３，４４により接続されて構成される。図６における上部ユニット４０Ｕの部分拡大図を図７に示す。
【００２４】
上部ベースフレーム４５、下部ベースフレーム４６は、ともに平断面視クランク状に曲折されて上下に延びる杆状をなし、所定板厚の鋼板を打ち抜き及びプレス成形してそれぞれ図示形状に形成され、所要の表面処理を施して形成される。これらのベースフレーム及び前枠２には、相互に嵌合してベースフレームの配設位置及び姿勢を規定する位置決めボスが形成されるとともに、ベースフレーム固定用のネジ穴が形成されており、上部ベースフレーム４５を基盤とする上部ユニット４０Ｕ及び下部ユニット４０Ｌが、それぞれ前枠２の右側部の所定位置にネジ固定されるようになっている。
【００２５】
ベースフレーム４５，４６に設けられた前枠施錠装置４１のフック機構５０（上部フック機構５０Ｕ，下部フック機構５０Ｌ）は、外枠１側の受け金具９０（図８を参照）と係脱可能なフック部材５１と、このフック部材５１を常時施錠位置に付勢する捩りバネ５６とを備えて構成される。フック部材５１は、ボディ部５２と、ボディ部５２から後方に延びるアーム部の後端側に形成された下向き鉤状のフック部５３、ボディ部５２の一部が曲げ起こされて形成されたワイヤー係止片５４などから構成される。
【００２６】
フック部材５１は、ボディ部５２の略中央部において枢結ピン５５によりベースフレームに枢結されてフック部５３が上下に揺動可能に配設されるとともに、枢結ピン５５を支軸としてベースフレームとボディ部５２との間に掛け渡された捩りバネ５６により図６における反時計回りに付勢されており、常には、ボディ部下端のカム部５７がベースフレームに設けられた搖動ストッパ４７に当接してアーム部が水平となる基準角度位置（施錠位置）に保持される。
【００２７】
ワイヤー係止片５４は、ワイヤー４３（上部ワイヤー４３Ｕ，下部ワイヤー４３Ｌ）の端部に固着された端末金具の形態（例えば円柱状や球状、丸型端子状など）に合わせて係脱可能に形成されており、ワイヤー４３の端部を係止可能に構成されている。なお、本実施形態においては、錠前機構７０と上下のフック機構５０Ｕ，５０Ｌとの位置関係から、上部ワイヤー４３Ｕが接続される上部フック機構５０Ｕのワイヤー係止片５４を、枢結ピン５５を挟んでフック部５３と反対側に設け、下部ワイヤー４３Ｌが接続される下部フック機構５０Ｌのワイヤー係止片５４をフック部５３と同一側（フック部５３と枢結ピン５５との間）に設けた構成を示す。
【００２８】
ガラス扉施錠装置４２の上下のフック機構６０（上部フック機構６０Ｕ，下部フック機構６０Ｌ）は、ガラス扉５側の受け金具９５と係脱可能なフック部材６１と、このフック部材６１を常時施錠位置に付勢する捩りバネ６６とから構成される。フック部材６１は、ボディ部６２と、ボディ部６２から前方に延びるアーム部の前端側に形成された下向き鉤状のフック部６３、ボディ部６２の一部が曲げ起こされて形成されたワイヤー係止片６４などから構成される。
【００２９】
フック部材６１は、ボディ部６２の略中央部において枢結ピン６５によりベースフレームに枢結されてフック部６３が上下に揺動可能に配設されるとともに、枢結ピン６５を支軸としてベースフレームとボディ部６２との間に掛け渡された捩りバネ６６により図６における時計回りに付勢されており、常には、ボディ部下端のカム部６７がベースフレームに設けられた搖動ストッパ４８に当接してアーム部が水平となる基準角度位置（施錠位置）に保持される。
【００３０】
ワイヤー係止片６４は、フック部材５１のワイヤー係止片５４と同様に、ワイヤー４４（上部ワイヤー４４Ｕ，下部ワイヤー４４Ｌ）の端部に固着された端末金具に合わせて係脱可能に形成されており、ワイヤー４４の端部を係止可能に構成されている。本実施形態においては、錠前機構７０と上下のフック機構６０Ｕ，６０Ｌとの位置関係から、上部ワイヤー４４Ｕが接続される上部フック機構６０Ｕのワイヤー係止片６４を枢結ピン５５を挟むフック部６３と反対側、下部ワイヤー４４Ｌが接続される下部フック機構６０Ｌのワイヤー係止片６４をフック部５３と同一側に設けた構成を示す。
【００３１】
ワイヤー４３，４４は、例えば、多数のステンレス細線を撚り上げて外径0.5〜1.2ｍｍ程度の撚り線に形成した柔軟性を有するステンレスロープが用いられ、ステンレスロープを上下ワイヤーの所要寸法に切断し、両端に端末金具をカシメ固着して構成される。
【００３２】
一方、外枠１における右枠板の内面、及びガラス扉５の背面には、フック部材５１、６１とそれぞれ係脱可能な構成の受け金具９０，９５が各フック部材５１，６１と位置整合して設けられている。受け金具は、例えば外枠１に設けられた受け金具９０を図８に示すように、外枠１における右枠板１Ｒの内面に固定された台座部９１から枠内方に突出する受け板部９３を有して構成され、上下搖動するフック部材５１のフック部５３が受け板部９３を乗り越えるように移動し、フック部５３と受け板部９３とが噛み合い係合して外枠１と前枠２とを係合連結するように構成される（図７中の二点鎖線を参照）。
【００３３】
錠前機構７０は、下部ベースフレーム４６に固定された基部から前方に延びる円柱状の錠７１と、この錠７１の回動軸７３に固定された第１カム盤７５及び第２カム盤７６を主体として構成される。錠７１の前端には、鍵を受容する鍵穴７２が形成されており、施錠装置４が前枠２に取り付けられガラス扉５が閉止された状態において鍵穴７２が前枠２の前面側に露出して配設されようになっている。錠７１は「ダブル錠」と称される解錠操作型の錠であり、解錠操作が行われていない状態において回動軸７３が常時中立角度位置に付勢保持され、錠７１に適合する鍵を鍵穴部７２に嵌挿することにより、回動軸７３を中立角度位置から時計回りまたは反時計回りに回動して解錠操作が可能になっている。
【００３４】
錠７１から後方に突出し解錠操作により回動される回動軸７３に、第１カム盤７５及び第２カム盤７６が固定されている。図６における錠前機構７０の部分拡大図を図９（Ａ）に示し、この図９（Ａ）に付記するＢ矢視方向に見た第１カム盤７５の正面図を同図（Ｂ）、Ｃ矢視方向に見た第２カム盤の正面図を同図（Ｃ）に示す。
【００３５】
第１カム盤７５には、回動軸７３の軸心Ｏに対して所定寸法右側の上下２か所（例えば軸心Ｏから半径Ｒで角度±４５度の座標位置）にワイヤー係止部７５Ｒa，７５Ｒbが設けられており、ワイヤー４３，４４の端部に固着された端末金具を係止可能になっている。一方、第２カム盤７６には、回動軸７３の軸心Ｏに対して同一寸法左側の上下２か所（例えば軸心Ｏから半径Ｒで角度±１３５度の座標位置）にワイヤー係止部７６Ｌa，７６Ｌbが設けられており、第１カム盤７５と同様にワイヤー４３，４４の端部に固着された端末金具を係止可能になっている。
【００３６】
そして、カム盤に設けられたワイヤー係止部７５Ｒa，７５Ｒb，７６Ｌa，７６Ｌbと、各フック部材に設けられたワイヤー係止片５４，５４，６４，６４との間にワイヤー４３，４４が緩みなく張り渡されて施錠装置４が構成される。具体的には、前枠施錠装置４１の上下のフック機構５０Ｕ，５０Ｌと錠前機構７０との間を結ぶ上部ワイヤー４３Ｕおよび下部ワイヤー４３Ｌのうち、上部ワイヤー４３Ｕが第１カム盤７５のワイヤー係止部７５Ｒaに接続され、下部ワイヤー４３Ｌが第２カム盤７６のワイヤー係止部７６Ｌbに接続される。また、ガラス扉施錠装置４２の上下のフック機構６０Ｕ，６０Ｌと錠前機構７０との間を結ぶ上部ワイヤー４４Ｕおよび下部ワイヤー４４Ｌのうち、上部ワイヤー４４Ｕが第２カム盤７６のワイヤー係止部７６Ｌaに接続され、下部ワイヤー４４Ｌが第１カム盤７６のワイヤー係止部７６Ｒbに接続される。
【００３７】
すなわち、第１カム盤７５および第２カム盤７６を回動軸７３の軸方向に沿って前方から透視したときに、前枠施錠装置４１の上下のフック機構５０Ｕ，５０Ｌと接続される上部ワイヤー４３Ｕおよび下部ワイヤー４３Ｌが、回動軸７３の軸心Ｏを挟んで右上（７５Ｒa）と左下（７６Ｌb）の対象位置に接続され、ガラス扉施錠装置４２の上下のフック機構６０Ｕ，６０Ｌと接続される上部ワイヤー４４Ｕおよび下部ワイヤー４４Ｌが、軸心Ｏを挟んで左上（７６Ｌa）と右下（７５Ｒb）の対象位置に接続される。
【００３８】
このため、錠７１に適合する鍵を鍵穴７２に嵌挿し、中立角度位置から時計回りまたは反時計回りに回動すると、回動軸７３に固定された第１カム盤７５及び第２カム盤７６が一体的に回動し、各カム盤に緩みなく接続された４本のワイヤーのうち、引っ張り側になる２本のワイヤーに張力を生じさせる。例えば、鍵穴７２に差し込んだ鍵を、図中実線で付記したように中立角度位置から時計回りに回動すると、第１カム盤のワイヤー係止部７５Ｒaに接続された上部ワイヤー４３Ｕ、及び第２カム盤のワイヤー係止部７６Ｌbに接続された下部ワイヤー４３Ｌが引き込まれて引っ張り力が作用し、これらのワイヤー４３Ｕ，４３Ｌの他端側に接続された上下フック機構５０のフック部材５１に伝達される。
【００３９】
上部ワイヤー４３Ｕが接続された上部フック機構５０Ｕのフック部材５１では、ワイヤー係止片５４に下向きの力が作用し、反力として作用する捩りバネ５６のバネ力に抗して回動軸７３を回動すると、フック部材５１が枢結ピン５５を中心として図６における時計回りに回動し、先端のフック部５３が上方に搖動して受け金具９３との係合が解除される。下部ワイヤー４３Ｌが接続された下部フック機構５０Ｌのフック部材５１では、ワイヤー係止片５４に上向きの力が作用し、捩りバネ５６のバネ力に抗して回動軸７３を回動すると、フック部材５１が枢結ピン５５を中心として図６における時計回りに回動し、先端のフック部５３が上方に搖動して受け金具９３との係合が解除される。
【００４０】
このとき、第１カム盤のワイヤー係止部７５Ｒbに接続された下部ワイヤー４４Ｌ、及び第２カム盤のワイヤー係止部７６Ｌaに接続された上部ワイヤー４４Ｕは、ともに緩み側にあるため張力が作用せず、これらのワイヤーの他端側に接続された上下フック機構６０のフック部材６１は搖動することなく施錠位置に保持される。
【００４１】
一方、鍵穴７２に差し込んだ鍵を、図中二点鎖線で付記したように中立角度位置から反時計回りに回動すると、第２カム盤のワイヤー係止部７６Ｌaに接続された上部ワイヤー４４Ｕ、及び第１カム盤のワイヤー係止部７５Ｒbに接続された下部ワイヤー４４Ｌが引き込まれて引っ張り力が作用し、これらのワイヤーの他端側に接続された上下フック機構６０のフック部材６１に伝達される。
【００４２】
上部ワイヤー４４Ｕが接続された上部フック機構６０Ｕのフック部材６１では、ワイヤー係止片６４に下向きの力が作用し、反力として作用する捩りバネ６６のバネ力に抗して回動軸７３を回動すると、フック部材６１が枢結ピン６５を中心として図６における反時計回りに回動し、先端のフック部６３が上方に搖動して受け金具９４（図７を参照）との係合が解除される。下部ワイヤー４４Ｌが接続された下部フック機構６０Ｌのフック部材６１では、ワイヤー係止片６４に上向きの力が作用し、捩りバネ６６のバネ力に抗して回動軸７３を回動すると、フック部材６１が枢結ピン６５を中心として図６における反時計回りに回動し、先端のフック部５３が上方に搖動して受け金具９３との係合が解除される。
【００４３】
このとき、第１カム盤のワイヤー係止部７５Ｒaに接続された上部ワイヤー４３Ｕ、及び第２カム盤のワイヤー係止部７６Ｌbに接続された下部ワイヤー４３Ｌは、ともに緩み側にあるため張力が作用せず、これらのワイヤーの他端側に接続された上下フック機構５０のフック部材５１は搖動することなく施錠位置に保持される。
【００４４】
このように、施錠装置４では、解錠操作に基づいてカム盤７５，７６が解錠方向に回動されたときに、カム盤からワイヤーに作用する引っ張り力がワイヤー４３，４４を介して各フック部材に伝達され、フック部材が解錠位置に変位するように構成される。ワイヤー４３，４４は張力を伝達可能であればよく、本実施形態のようにベースフレームを上下に分離して上部ユニット４０Ｕと下部ユニット４０Ｌを形成し、略円形の遊技領域１１が最も右方に張り出す遊技盤１０の側方領域に細いワイヤーを通して施錠装置を構成することができる。このため、遊技盤１０の側方にワイヤーが通過可能な幅さえ確保すればよく、他を遊技領域として利用することができる。従って、従来では遊技盤１０の側方に一定幅のベースフレームが設けられて拡大が困難とされていた遊技領域を拡大することができる。
【００４５】
さらに、ワイヤー４３，４４は、線径がφ0.5〜1.2ｍｍ程度と細く柔軟性を有するため自由な経路を通すことができる。そこで、本実施形態の施錠装置４では、ワイヤー４３，４４をガイドするワイヤーガイド構造８０を設け、遊技領域１１の側方においてワイヤー４３，４４が第１，第２カム盤７５，７６の回動軸７３よりも外側（反ヒンジ機構側）を通るようにワイヤーをガイドするように構成している。
【００４６】
ワイヤーガイド構造８０は、上部ユニット４０Ｕ下端右側部に設けられた上部第１ローラ８１と、下部ユニット４０Ｌの上端右側部に設けられた下部第１ローラ８３とを主体とし、本実施形態においては、第１、第２カム盤７５，７６における各ワイヤー係止部の左右位置と、上下の各フック部材５１，６１における各ワイヤー係止片の左右方向の配設位置とを合わせるため、上部ユニット４０Ｕに上部第２ローラ８２、下部ユニット４０Ｌに下部第２ローラ８４、下部第３ローラ８５及び下部第４ローラ８６を設けた構成を示している。上部第１ローラ８１及び上部第２ローラ８２は上部ベースフレーム４５に回動自在に取り付けられ、下部第１ローラ〜下部第４ローラは下部ベースフレーム４６に回動自在に取り付けられている。なお図示のような鍔付き円筒状のローラに変えて各ワイヤーに対応した個別のプーリを設け（図１０を参照）、あるいは円柱状のピンを固定して各ワイヤーが摺接するように構成してもよい。
【００４７】
そして、このワイヤーガイド構造８０により、錠前機構７０と上部フック機構５０Ｕ，６０Ｕとの間を結ぶ上部ワイヤー４３Ｕ，４４Ｕが、遊技領域の側方において錠７１の回動軸７３よりも右側方を前後に重なって通るようにガイドされる。具体的には、第１カム盤７５の右上部のワイヤー係止部７５Ｒaに係止された上部ワイヤー４３Ｕは、下部第１ローラ８３の右側を通ってそのまま上方に延び、上部第１ローラ８１及び上部第２ローラ８２により左方に導かれて上部ベースフレーム４５の側面に沿って上方に延び、フック部材５１のワイヤー係止片５４に接続される。第２カム盤７６の左上部のワイヤー係止部７６Ｌaに係止された上部ワイヤー４４Ｕは、下部第２ローラ８４及び下部第１ローラ８３により右方に導かれて上部ワイヤー４３Ｕの後方を上方に延び、上部第１ローラ８１及び上部第２ローラ８２により左方に導かれて上部ベースフレーム４５の側面に沿って上方に延び、フック部材６１のワイヤー係止片６４に接続される。
【００４８】
錠前機構７０と下部フック機構５０Ｌ，６０Ｌとの間を結ぶ下部ワイヤー４３Ｌ，４４Ｌについては、第２カム盤７６の左下部のワイヤー係止部７６Ｌbに係止された下部ワイヤー４３Ｌは、下部第４ローラ８６の左側を通って下部ベースフレーム４６の側面に沿って下方に延びフック部材５１のワイヤー係止片５４に接続される。第１カム盤７５の右下部のワイヤー係止部７５Ｒbに係止された下部ワイヤー４４Ｌは、下部第３ローラ８５及び下部第４ローラ８６により左方に導かれて下部ベースフレーム４６の側面に沿って下方に延び、フック部材６１のワイヤー係止片６４に接続される。
【００４９】
このように、ワイヤーガイド構造８０により、上部ワイヤー４３Ｕ，４４Ｕを積極的に遊技領域の外方（ヒンジ機構３ａ，３ｂが設けられた側と反対側）に寄せることにより、図１中に二点鎖線で示したように、遊技領域１１を、従来の施錠装置を設けた場合の遊技領域１１１と比較して右方に拡大することができ、従来では実現困難であると考えられていた遊技領域をさらに拡大することが可能となる。
【００５０】
以上では、説明簡明化のため詳細構成の説明を省略したが、ワイヤー４３，４４の初期長さのばらつきや伸びによる長さ変化を調整し、各ワイヤー４３，４４が常時緩みなく張設されるための長さ調整機構、錠７１の回動方向に応じて緩み側となるワイヤーのたるみを防止するテンショナーが設けられている。なお、ワイヤーガイド構造８０は、上部第１ローラ８１及び下部第１ローラ８３（必要に応じて上部第２ローラ８２及び下部第２ローラ８４）を前枠２側に設けて構成することも可能である。また、ワイヤーガイド構造のローラを左右（または上下）に移動可能とすることにより、別途長さ調整機構を設けることなく長さ調整機能を備えた構成とすることもでき、このような構成によればワイヤーガイド構造をより簡明に構成することができる。
【００５１】
また、以上説明した実施形態では、回動軸７３に前後２枚のカム盤を固定し各カム盤の同一方向上下にそれぞれ２か所ずつワイヤー係止部を形成した構成を例示したが、各カム盤の対角線上にそれぞれ２か所ずつワイヤー係止部を形成してもよく、あるいは一枚のカム盤に３ヶ所以上のワイヤー係止部を形成してもよい。
【００５２】
このような変更例の施錠装置４´として、図６と同様の左側面図を図１０に示し、図９（Ｂ）と同様の矢視方向に見たカム盤１７５の正面図を図１１に示す。なお、記述した施錠装置４と同様部分に同一番号を付して重複説明を省略する。この施錠装置４´では、既述した第１カム盤７５と第２カム盤７６を一枚のカム盤１７５とし、このカム盤１７５の軸心Ｏを通る対角線上の４か所にワイヤー係止部１７５Ｒa，１７５Ｒb，１７５Ｌa，１７５Ｌbを設けている。これら４か所のワイヤー係止部は、既述した第１カム盤７５、第２カム盤７６を重ね合わせたときの各ワイヤー係止部の形成位置７５Ｒa，７５Ｒb，７６Ｌa，７６Ｌbと合致しており、図１１に示すように上下のワイヤー４３Ｕ，４３Ｌ，４４Ｕ，４４Ｌを接続することによって既述した施錠装置４と同様の作用・効果を得ることができる。なお、図１１中には、鍵を中立角度位置から時計回りに回動したときの作用を実線、反時計回りに回動したときの作用を二点鎖線で付記している。このような構成の施錠装置４´によれば、カム盤を１枚に削減して構成を簡明化することができる。
【００５３】
なお、錠前機構７０の配設位置は、遊技領域１１を挟んで上方または下方の任意位置に設定することができ、例えば下部ユニット４０Ｌにおける二つのヒンジ機構５０Ｌ，６０Ｌの間に設け、あるいは上部ユニット４０Ｕに配設することも可能である。また、回動軸７３が一本の錠７１を用いた構成を例示したが、同一軸上に２本の回動軸を有し、中立角度位置から鍵を時計回りに回動したときに、第２回動軸は中立角度位置のまま第１回動軸のみが時計回りに回動し、中立角度位置から反時計回りに回動したときに、第１回動軸は中立角度位置のまま第２回動軸のみが反時計回りに回動するような錠を用い、第１回動軸に固定される第１カム盤の対角線上に上下フック機構５０Ｕ，５０Ｌの上下のワイヤーを係止し、第２回動軸に固定される第２カム盤の対角線上に上下フック機構６０Ｕ，６０Ｌの上下のワイヤーを係止するように構成することもできる。このような構成によれば、テンショナーを設けることなく（あるいは吸収ストロークが小さいテンショナーを設ける簡明な構成で）緩み側となるワイヤーのたるみや逸脱を防止することができる。
【００５４】
以上、施錠装置が適用される遊技機の代表例としてパチンコ機を示したが、同様の構成形態を有するアレンジボール機はもとより、リールユニットやメイン基板、電源ユニット、メダルホッパーなどを収容するキャビネット側に受け金具を備え、リールを透視する開口窓が形成されたフロントマスク側にフック施錠ユニットが設けられたスロットマシン等の他の形態の遊技機についても同様に適用することができる。また、ダブル錠ではない一方向操作の施錠装置や、フック機構が錠前機構の上方または下方に一か所である施錠装置についても同様に適用することができる。
【図面の簡単な説明】
【００５５】
【図１】本発明に係る施錠装置の配設位置状態を示す正面図である。
【図２】本発明の適用例として示すパチンコ機の正面図である。
【図３】上記パチンコ機の右側面図である。
【図４】上記パチンコ機の背面図である。
【図５】本発明に係る施錠装置の正面図である。
【図６】上記施錠装置を左側から見た（図５中のVI矢視方向の）側面図である
【図７】図６における上部ユニットの部分拡大図（左側面図）である。
【図８】外枠に設けられた受け金具の斜視図である。
【図９】(Ａ)は図６における錠前機構の部分拡大図、(Ｂ)は(Ａ)図中のＢ矢視方向に見た第１カム盤の正面図、(Ｃ)は(Ａ)図中のＣ矢視方向に見た第２カム盤の正面図である。
【図１０】本発明に係る施錠装置の変更例であり、図６と同様の左側面図である。
【図１１】図９(Ｂ)と同様の矢視方向に見たカム盤の正面図である。
【符号の説明】
【００５６】
ＰＭ  パチンコ機（遊技機）
１  外枠（１Ｒ：右枠板）
２  前枠
３ａ，３ｂ  ヒンジ機構
４，４´  施錠装置
５  ガラス扉
７ａ，７ｂ  ヒンジ機構
１０  遊技盤
１１  遊技領域
４０Ｕ  上部ユニット
４０Ｌ  下部ユニット
４１  前枠施錠装置（施錠装置）
４２  ガラス扉施錠装置（施錠装置）
４３  ワイヤー（４３Ｕ：上部ワイヤー，４３Ｌ：下部ワイヤー）
４４  ワイヤー（４４Ｕ：上部ワイヤー，４４Ｌ：下部ワイヤー）
４５  上部ベースフレーム
４６  下部ベースフレーム
５０  前枠施錠装置のフック機構（５０Ｕ：上部フック機構，５０Ｌ：下部フック機構）
５１  フック部材
５３  フック部
５６  捩りバネ（フック付勢手段）
６０  ガラス扉施錠装置のフック機構（６０Ｕ：上部フック機構，６０Ｌ：下部フック機構）
６１  フック部材
６３  フック部
６６  捩りバネ（フック付勢手段）
７０  錠前機構
７３  回動軸
７５  第１カム盤（回動部材）
７６  第２カム盤（回動部材）
８０  ワイヤーガイド構造
９０  外枠側の受け金具
９５  ガラス扉側の受け金具
１７５  カム盤（回動部材）
【図１】
2010110519.tif 000003
【図２】
2010110519.tif 000004
【図３】
2010110519.tif 000005
【図４】
2010110519.tif 000006
【図５】
2010110519.tif 000007
【図６】
2010110519.tif 000008
【図７】
2010110519.tif 000009
【図８】
2010110519.tif 000010
【図９】
2010110519.tif 000011
【図１０】
2010110519.tif 000012
【図１１】
2010110519.tif 000013